Podtech/llm-jp-corpus-v4-ja_patent huggingface dataset:
(57)【要約】【目的】▲１▼洗濯衣類との接触面積が小さく乾燥し易い、▲２▼水分を含んだ布帛同士が密着しにくい程度の空隙を作り出せる懸架部を持った、▲３▼ハンガー跡が残りにくい、▲４▼すべりにくい、▲５▼懸架部が他の既存のハンガーにも着脱可能、▲６▼他のハンガーや洗濯バサミなどを横ずれせずにぶら下げられる、などの機能を持ったハンガーを提供する。【構成】懸架部を図１の２のようなスパイラル構造とし、つる草が枝に巻きつくようにハンガー骨格１の肩部分３に装着して図１のようなハンガーとする。スパイラル構造の懸架部２は、大量に市販されている他の既存の針金製・プラスチック製などの簡易ハンガーなどにも簡便に取付けられ、簡易ハンガーが図１のようなスパイラル構造の懸架部を持った機能性ハンガーとなる。【選択図】        図１
2004188140.tif 000002
【特許請求の範囲】
【請求項１】
懸架部がスパイラル構造のハンガー
【請求項２】
ハンガーに簡易に着脱できるスパイラル構造の懸架部
【発明の詳細な説明】
【０００１】
【発明の属する技術】スパイラル構造の懸架部をもったハンガーとする事で、一般的にハンガーに求められる機能に加えて、▲１▼他の既存のハンガーにも簡便に取り付け可能な懸架部、▲２▼衣類などが乾燥しやすい、▲３▼他のハンガーや洗濯バサミなどを横ずれしないようにぶら下げられる…等の機能を付与したものである。
【０００２】
【従来の技術】衣類の保管、洗濯物の乾燥に用いるハンガーには、滑らない・使い勝手がよい…等、さまざまな機能・構造を持ったハンガーやハンガー補助具はある。スパイラル構造の懸架部を持ち、ハンガーに一般的に求められる機能に加えて、他の既存のハンガーにも簡易に着脱出来る、洗濯衣類が乾燥しやすい、他のハンガーや洗濯バサミなどを横ずれしないようにぶら下げられる…等の機能を付与したものはない。
【０００３】
【発明が解決しようとする課題】
▲１▼洗濯した衣類との接触面積が少なく、乾燥し易い
▲２▼水分を含んだ布帛同士が密着しにくい程度の空隙を作り出せる幅を持たせた
▲３▼乾燥後の衣類にハンガー跡が残りにくい
▲４▼衣類がすべりにくい
▲５▼衣類の懸架部が、他の既存のハンガーにも着脱可能
▲６▼他のハンガーや洗濯バサミなどを横ずれしないように取付けられる
というような機能を持ったハンガーを提供する。
【０００４】
【課題を解決する為の手段】衣類の懸架部を図２のようなスパイラル構造にする事によって、つる草が木の枝に巻きつくようにハンガー骨格１の肩部分３に簡易に装着する事が出来る。装着すると図１のようなハンガーとなる。懸架部分はスパイラル構造の直径分の幅を付与され、また懸架部がスパイラル構造である事によって、衣類との接触面積が小さくなると同時に空隙部分があるため衣類が空気に触れる部分が増加し洗濯衣類などは乾燥し易くなる。スパイラル構造の持つ丸みと幅は、乾燥後の衣類にハンガー跡が残りにくい形状を付与する。スパイラル構造の懸架部は、適度の幅を持った素材をスパイラル状にしたもので、その表面には滑り止め素材或いは小さな突起状物を設けて、衣類のずり落ち防止とする。
【０００５】
【実施例】針金やプラスチックなどで作られた簡易ハンガー骨格１に、スパイラル構造の懸架部２を装着して、図１のようなスパイラル構造の懸架部を持ったハンガーとする。懸架部２の表面は、滑り止め素材とするか又は小さな突起状物を設けることにより、衣類のずり落ち防止機能を持たせる。このスパイラル構造の懸架部２は、大量に市販されているクリーニング用の針金製ハンガーや、プラスチックの簡易ハンガーなどにも簡便に取付けることが出来るため、簡易ハンガーが図１のようなスパイラル構造の懸架部を持った機能性ハンガーとなる。懸架部分はスパイラル構造の直径分の幅を付与され、またスパイラル構造である事によって、衣類との接触面積が小さくなると同時に空隙部分があるため衣類が空気に触れる部分が増加し乾燥し易くなる。更に、スパイラル構造の持つ丸みと幅は、衣類にハンガー跡が残りにくい形状を付与する。図３のように、この懸架部には別のハンガーを横ずれせずにぶら下げることが出来るし、また図４のように、洗濯バサミをフックなどで取付けると小物を横ずれせずにぶら下げることも出来る。
【０００６】
【発明の効果】スパイラル構造の懸架部とする事で、ハンガーに求められる機能が充足される他、▲１▼衣料との接触面積が小さくなると同時に空隙部分が増加し洗濯衣類が乾燥し易くなる、▲２▼他の既存のハンガーに簡易に取付けられ、針金製・プラスチック製などの簡易ハンガーを機能性ハンガーに変えて利用できる、▲３▼スパイラル構造部分に他のハンガーや洗濯バサミなどを、横ずれせずにぶらさげられる、等の機能がさらに付与され、使い勝手の良いハンガーを提供する事が出来る。
【図面の簡単な説明】
【図１】スパイラル構造の懸架部を取付けたハンガーの図である。
【図２】スパイラル構造の懸架部の図である。
【図３】スパイラル構造の懸架部に別のハンガーを取付けた図
【図４】スパイラル構造の懸架部に洗濯バサミを取付けた図
【符号の説明】
１  ハンガー
２  スパイラル構造の懸架部
３  ハンガーの肩部
【図１】
2004188140.tif 000003
【図２】
2004188140.tif 000004
【図３】
2004188140.tif 000005
【図４】
2004188140.tif 000006
(57)【要約】【課題】注射針を組織に突き刺した状態で湾曲させ、針の進む方向を変えることができる可変湾曲式注射針を提供する。【解決手段】針の先端部分（４）にひも（２）を取り付け、針の根元部分（５）を固定した状態で、ひも（２）を引くことによって湾曲させることができる針（１）を中空の筒（３）に通し、針（１）を曲げることで筒（３）を湾曲させるようにした可変湾曲式注射針を特徴とする。【選択図】図４
2004188134.tif 000002
【特許請求の範囲】
【請求項１】
先端付近にひもを取り付けこれを引くことで湾曲させることができる針（１）を中空の筒（３）に通し、針（１）を曲げることで筒（３）を湾曲させるようにした可変湾曲式注射針
【請求項２】
先端付近に針金を取り付けこれを引くことで湾曲させることができる針（１）を中空の筒（３）に通し、針（１）を曲げることで筒（３）を湾曲させるようにした可変湾曲式注射針
【発明の詳細な説明】
【０００１】
【発明の属する技術分野】
この発明は、針の先端部分（４）にひも（２）を取り付け、針の根元部分（５）を固定した状態で、ひも（２）を引くことによって湾曲させることができる針（１）を中空の筒（３）に通し、針（１）を曲げることで筒（３）を湾曲させるようにした可変湾曲式注射針に関するものである。
【０００２】
【従来の技術】
従来の注射針は形状が固定していた。
【０００３】
【発明が解決しようとする課題】
これは、次のような欠点があった。いったん注射針を組織に突き刺すと針先の向きを途中で変えることが困難であった。本発明は、以上のような欠点をなくすためになされたものである。
【０００４】
【課題を解決するための手段】
針（１）の先端部分（４）にひも（２）を取り付ける。それを筒（３）差し込む。本発明は、以上の構成よりなる可変湾曲式注射針である。
【０００５】
【発明の実施の形態】
以下、本発明の実施の形態について説明する。
針（１）は根元部分（５）を固定し、ひも（２）を矢印（６）の方向に引くことで湾曲した形状に変化させることができる。
筒（３）は容易に曲げることができるが、筒の直径は変化し難い素材を用いる。
針（１）を筒（３）に通し、矢印（７）の方向に引くことで、筒（３）を湾曲させることができる。
本発明は、以上のような構造でこれを使用するときは、組織を突き刺した状態で針（１）と筒（３）を湾曲させればよい。
【０００６】
【発明の効果】
組織を突き刺した状態で針（１）と筒（３）を湾曲させることができる。このため、湾曲させた状態で針（１）と筒（３）をさらに刺し進めれば、湾曲した方向に先端を進めることができる。したがって、従来のように針先の向きを変えるためにいったん組織外まで針を引き抜く必要がなくなる。これにより目標地点をより正確に穿刺することができるばかりでなく、不必要な組織の損傷を避けることができる。
【図面の簡単な説明】
【図１】本発明の分解斜視図である。
【図２】針（１）を湾曲させた図である。
【図３】針（１）を筒（３）に差し込んだ図である。筒（３）を透明と仮定した透視図として示している。
【図４】針（１）を筒（３）に差し込み湾曲させた図である。筒（３）を透明と仮定した透視図として示している。
【符号の説明】
１  針
２  ひも
３  筒
４  針の先端部分
５  針の根元部分
６  矢印
７  矢印
【図１】
2004188134.tif 000003
【図２】
2004188134.tif 000004
【図３】
2004188134.tif 000005
【図４】
2004188134.tif 000006
(57)【要約】【目的】この発明は，トイレ用マットとして使用することで，男性が小用にてトイレを利用する際に，飛散したり便器漏れした尿を吸収除菌消臭処理を行い再流出を阻止することにより，トイレ内の衛生管理を飛躍的に向上させ，雑菌や悪臭の感染伝搬経路を改善する。【構成】適当な材質・形状の浸透膜（１）と適当な材質・形状の防水シート（２）の間に，適当な材質・形状の吸尿除菌消臭材（３）を設け，周辺等を圧着等による一体構造とし，飛散したり便器漏れした尿を吸収除菌消臭し，再流出を阻止する。【選択図】    図１
2004188152.tif 000002
【特許請求の範囲】
【請求項１】
適当な材質・形状の浸透膜（１）と適当な材質・形状の防水シート（２）の間に，適当な材質・形状の吸尿除菌消臭材（３）を設け，周辺等を圧着等による一体構造にした吸尿除菌消臭マット。
【発明の詳細な説明】
【０００１】
【産業上の利用分野】
この発明は，特に男性が通常利用するトイレのマットとして使用することで，小用の際に飛散したり便器漏れした尿を吸収除菌消臭する。
【０００２】
【従来の技術】
従来のトイレ用マットは，吸湿や集塵を目的としたものが主流で，業務用に関しては排水を主目的としたものしかなかった。
【０００３】
【発明が解決しようとする課題】
従来のトイレを男性が小用に利用するときは，尿が飛散したり便器漏れしたりすることは仕方のないこととされていた。しかし，こぼれた尿は雑菌や悪臭の温床となり一番不潔で非衛生的でもあった。トイレを感染経路とする病気も多い割には，手洗いを勧めてもトイレ内の足下の衛生管理は遅れたままであった。
【０００４】
【課題を解決するための手段】
業務用，家庭用を問わずトイレでは排尿を気持ちよくのびのびとやりたいもの，しかし，そのことで他人に迷惑はかけられない。そこで，いろいろと考察した結果，尿を閉じこめて分解処理を行い漏らさない方法に行き着き，同様の排尿処理を行う紙オムツに着目した。マットとして対応するよう強化浸透膜の採用，消臭・除菌剤を含浸させた吸尿材の採用，強化防水シートに滑り止めを付加することで，ようやくこの発明を完成させることができた。この発明に関わる吸尿除菌消臭マットは，適当な材質・形状の浸透膜（１）と適当な材質・形状の防水シート（２）の間に，適当な材質・形状の吸尿除菌消臭材（３）を設け，周辺等を圧着等による一体構造とし，飛散したり便器漏れした尿を吸収除菌消臭し再流出を阻止するようにした。なお，各部の材質や形状としては，実施例のようにしてもよいが，その他にも採用できるものが多数あることはいうまでもない。
【０００５】
【作用】
この吸湿消臭マットは，特にトイレ用マットとして使用することで浸透膜（１）に付着した尿は，浸透膜（１）を通して吸尿除菌消臭材（３）に吸収されて除菌消臭される。吸尿除菌消臭材（３）へ吸収された尿は防水シート（２）によって再度外部への流出を阻止される。
【０００６】
【実施例】
実施例１
図１は，実施例１を示す斜視図である。
適当な材質・形状の浸透膜（１）と適当な材質・形状の防水シート（２）の間に，適当な材質・形状の吸尿除菌消臭材（３）を設け，周辺等を圧着等による一体構造とし，飛散したり便器漏れした尿を吸収除菌消臭し，再流出を阻止するようにした。
【０００７】
【発明の効果】
この発明に関る吸湿消臭マットにおいては，業務用，家庭用を問わずトイレ用マットとして使用することで，今まで諦めていたトイレの衛生管理が飛躍的に改善される。特に密室状態で，多数の利用者が見込まれる飛行機内，列車内，船舶内には最重要と思われる。また，レストランや飲食店なども重要と思われる。いくら機内や車内，店内を衛生的にしても，トイレの利用で足下から雑菌や悪臭が持ち込まれては意味がありません。もう一つの特徴は，軽量でコンパクト化が可能なため，保管の場所を取らない。使用後の処理も容易である。マットに印字も可能であるため，店名社名等広告としての訴求効果も期待できることとなる。
【図面の簡単な説明】
【図１】実施例１を示す斜視図である。
【符号の説明】
１  浸透膜
２  防水シート
３  吸尿除菌消臭材
【図１】
2004188152.tif 000003
(57)【要約】【課題】財布の持ち運びには、滑り落ちやスリの心配がつきまとう。これらの心配を最小限に抑えるにはボタンが嵌められるズボンのポケットが良いが、財布を入れてボタンを留めるためには財布の大きさが制限され、使い難い。こうした課題点を解消するために、ボタン付きの財布を提供する。【解決手段】財布本体１の外側にボタン３を取り付け、このボタン３によってズボンのポケット６に財布本体１を固定してしまうため、滑り落ちやスリ被害の危険性がかなり解消される。更にボタン３でポケット６に留めるため、ポケットからはみ出すような大きさの財布でも安心して使用できる。【選択図】  図２
2004188170.tif 000002
【特許請求の範囲】
【請求項１】
財布本体にボタンを取り付けることにより、男性用ズボンの後背部ポケットのボタンホールに装着し、脱落を防止できるようにした財布。
【請求項２】
ズボンポケットのボタンホールの大きさおよび位置など、ポケットの形状によって請求項１のボタンを着脱可能にし、ボタンの大きさ・位置を調節できるようにした財布。
【発明の詳細な説明】
【０００１】
【発明の属する技術分野】
本発明は財布本体にボタンを付けることによって、ポケットからの脱落の防止、およびスリ被害の減少を目的としたものである。
【０００２】
【従来の技術】
従来は、ポケット自体を加工することや、財布に鎖を付けることによって同様の効果を狙ったもの等はあったが、本発明のような、財布そのものを簡単にポケットのボタンホールに装着してしまうものはなかった。
【０００３】
【発明が解決しようとする課題】
ズボンのポケットに財布を入れると、立ち座りなどの動きによって脱落し易い。一般にズボンの左後背部のポケットにはボタンを留めるボタンホールがあるが、ここに財布を収めてボタンを留めるためには、財布の寸法に制限ができてしまうし、ポケットからはみ出す財布はスリ被害の危険性も増す。また、上着の内ポケットに財布を入れた場合では、上着を脱いだ際などの脱落や、置き忘れたりの危険が付きまとう。
本発明はこれらの課題を解消するためになされたものである。
【０００４】
【課題を解決するための手段】
財布本体にボタンを付け、これをズボンのポケットにあるボタンホールに嵌めることによって、ズボンのポケットから財布が落ち、或いはスラれることを極力抑えるようにした。（請求項１）
また、ズボンのデザイン・形状によってポケットのボタンホールの位置や寸法が異なるため、ボタンを着脱可能にし、調整できるようにした。（請求項２）
【０００５】
【発明の実施の形態】
以下、本発明の実施の形態について説明する。
（イ）．財布本体１の任意のボタン留め穴２に、ズボンのボタンホールの大きさにあったボタン３と中芯４を差し込み、財布内側でロックピン５を使用してこれを固定する。
（ロ）．ズボンのポケット６に財布のボタン３を嵌める。
【０００６】
【発明の効果】
滑り落ちやスリの心配がほとんどなく、安心してズボンのポケットに財布をしまうことができる。しかもポケットからはみ出すような寸法の財布でもポケットのボタンホールに固定できるため、脱ぐ機会の多い背広やジャケットの内ポケット等に財布をしまう必要がない。
なお、財布本体にボタンを取り付ける方法としては図４或いは図５で示すように、ロックピン５の代わりにネジ式のボタン中芯７と固定用ナット８を使ったり、綴じ糸９を固定用ボタン１０で縛るなどしてもよい。
【図面の簡単な説明】
【図１】本発明の正面図である。
【図２】本発明の使用状態を示す図である。
【図３】本発明における財布本体へのボタン取り付け図である。
【図４】本発明における財布本体への他の実施例によるボタン取り付け図である。
【図５】本発明における財布本体への他の実施例によるボタン取り付け図である。
【符号の説明】
１財布本体
２ボタン留め穴
３ボタン
４ボタン中芯
５ロックピン
６ズボンのポケット
７ネジ式のボタン中芯
８固定用ナット
９綴じ糸
１０固定用ボタン
【図１】
2004188170.tif 000003
【図２】
2004188170.tif 000004
【図３】
2004188170.tif 000005
【図４】
2004188170.tif 000006
【図５】
2004188170.tif 000007
(57)【要約】      （修正有）【課題】この発明は、シップ薬等を手の届かない背中などの箇所に手軽に貼付したり、貼付したシップ薬等を簡単に剥がすことが出来る器具に関するものである。【解決手段】長い柄のへら１を折り曲げ、裏面部に剥離紙を掴む器具２を付け、表面部にシップ薬等を挟み込むアーム３を付ける。【選択図】図３
2004188145.tif 000002
【特許請求の範囲】
【請求項１】
長い柄のへら（１）を折り曲げ、裏面部に剥離紙を掴む器具（２）を付け、表面部にシップ薬等を挟み込むアーム（３）を付ける。
以上のごとく構成された、手の届かない箇所にシップ薬等を貼付する器具。
【発明の詳細な説明】
現在、一人で背中など手の届かない箇所にシップ薬等を貼付する際、人手を頼まずに貼ることは大変難しい。本案は、その問題を解決するために考案されたものである。
次に本考案の実施の形態を述べる。
まず、図４のようにシップ薬から剥離紙を少し剥がし、剥離紙を掴む器具（２）に確り掴ませ、シップ薬のもう一方の端をアーム（３）に挟み込む。このような状態に本考案の器具にシップ薬等を取り付ける。
これを背中に貼る場合、まづ、図５のように剥離紙を剥がした部分を貼付したい箇所に当てる。この状態にするとへら（１）の折り曲げた角度のため、自動的にシップ薬等が肌に押し付けられた形になり貼りつく。次いで、図６のようにこの状態を保ちながら肌に沿わせて引き抜く。こうすることで、図７のように任意の箇所に一人で貼付することが出来る。
また、シップ薬を剥がす場合はへらの先端でシップ薬を掬い取るようにすることで、簡単に剥がすことが出来る。
【図面の簡単な説明】
【図１】表面図
【図２】裏面図
【図３】側面図
【図４】器具にシップ薬を取り付けた状態の側面図
【図５】器具に取りつけたシップ薬を肌に当てた状態の側面図
【図６】シップ薬を貼り付け途中の状態の側面図
【図７】シップ薬を貼り付け完了後の状態の側面図
【符号の説明】
１：へら
２：アーム
３：掴む器具
４：シップ薬
５：剥離紙
【図１】
2004188145.tif 000003
【図２】
2004188145.tif 000004
【図３】
2004188145.tif 000005
【図４】
2004188145.tif 000006
【図５】
2004188145.tif 000007
【図６】
2004188145.tif 000008
【図７】
2004188145.tif 000009
(57)【要約】【課題】女性用トイレに設置されている汚物入れは常設して使用しているので汚れが目立ち、不便な設置場所や、防水性の袋を装着した蓋付容器で扱いづらく、使用する人も清掃する人も利用するたびに不満が募り不快な感じを受けている。このような問題を防ぐために、組立てが簡単な汚物入れを提供するのが目的である。【解決手段】汚物入れの汚れや汚物の処理を迅速に衛生的におこなうため、使用済み汚物入れごと容易に廃棄できるようにし、汚物入れの中が見えないようにして使用する人の不快感を軽減し、利用しやすい場所へ簡単に設置できるように構成した。【選択図】    図１
2004188147.tif 000002
【特許請求の範囲】
【請求項１】
正面に汚物の投入口のある連結接合し折り畳まれている箱体が、補強を施した面と支持具を備えた天面と底面をもち、その天面と底面に備えた支持具を外側に引くことにより、折り畳まれていた箱体が箱状に形成されることを特徴とした簡易組立て汚物入れ。
【請求項２】
正面の汚物投入口にあたる上辺と左右辺に切り込みを入れ、下辺は箱体が箱状に形成された時に箱体中側に折り曲げ、その折り曲げられた面と素材がもつ反発力により、中の汚物が見えないことを特徴とする請求項１の簡易組立て汚物入れ。
【発明の詳細な説明】
【０００１】
【発明の属する技術分野】
本発明は主として女性用トイレ内に設置されている生理用品汚物入れに関するものである。
【０００２】
【従来の技術】
従来の汚物入れは、形の定まった容器を用いて中に防水性を有した袋を装着しているか、特開平５−２６２４０１公報に開示されているような紙製のものでも硬い紙を使用し組立てるもので、廃棄するのも困難で多くの容器は蓋付きで床置きである。
【０００３】
【発明が解決しようとする課題】
従来の汚物入れは、定まった容器を常設して使用しているので容器が汚れがちになり、容器の中の防水性の袋も取り替えが必要なので清掃に手間がかかる。利用者にも容器の汚れが目に留まり不快な感じを与える。
【０００４】
トイレ内の汚物入れは床の隅に設置されている場合が一般的で、利用者は汚物入れに手が届きづらく不便である。
【０００５】
紙製で廃棄のできる汚物入れは、箱状を維持しながら自立するために硬い紙を使用している。そのため廃棄するとき形を崩しづらく嵩張るので不便である。
【０００６】
従来の汚物入れは蓋付のものが多く、利用するたびに蓋に手を直接触れなければならず、利用者にその都度不快な感じを与える。
【０００７】
本発明は、このような従来の構成が有していた問題を解決しようとするものであり、汚物入れ自体の汚れや汚物の処理を迅速に衛生的におこなうために使用済み汚物入れごと廃棄できるようにし、利用者の不快感を軽減して、かつ使いやすい場所に汚物入れを設置できることを目的とするものである。
【０００８】
【課題を解決するための手段】
この目的を達成するために本発明は、正面に汚物の投入口のある連結接合し折り畳まれている箱体が、補強を施した面と支持具を備えた天面と底面をもち、その天面と底面に備えた支持具を外側に引くことにより、折り畳まれていた箱体が箱状に形成される簡易組立て汚物入れで、トイレなどの壁の適当な位置に取付けた保持具を介してしっかりと固定できるので、形が崩れやすい柔らかい素材でも作製でき、容易に廃棄することで衛生的に配慮したものである。
【０００９】
また、正面の汚物投入口にあたる上辺と左右辺に切り込みを入れ、下辺は箱体が箱状に形成された時に箱体中側に折り曲げ、その折り曲げられた面と素材がもつ反発力により、中の汚物が見えない構成にしたものである。
【００１０】
【発明の実施の形態】
本発明の汚物入れは廃棄しやすくするため柔らかい素材の紙、不織布、布合成樹脂などが適しており、素材に防水防臭作用を施したものであればさらに効果は期待できる。また、印刷にも適した素材なのでいろいろな柄に応用できる。
【００１１】
図１から図３は本発明の汚物入れの一実施例を示すもので、図１は連結接合した６面体の汚物入れを平らに折り畳んだ状態を示す図で、正面１の９ａと１０ａは天面５と底面６の面の端を結ぶ線上に折線を施したもので、汚物入れを箱状に導きやすくし形成したときに箱の角になる。図に見えない後面２の９ｂと１０ｂも前記と同じである。
【００１２】
１１ａ，１２ａ，１３ａ，１４ａは、天面５と底面６の面端と、面の中央で内側に折り曲げガゼットとした天面５と底面６のくの字の頂点が側面３と４に接する点とを結ぶ線上に折線を施したもので、９ａ，１０ａ同様に箱状に導きやすくするためのものである。見えない反対面は１１ｂ，１２ｂ、１３ｂ，１４ｂとなる。９ａの左側は側面３で１０ａの右側は側面４である。
【００１３】
面の中央で内側に折り曲げガゼットとした天面５と底面６のくの字の頂点部分に、ヒモやゴムヒモなどを用いて弓形になるように、天面５には支持具７を底面６に支持具８を取付ける。
【００１４】
図２は、本発明品の汚物入れが箱状に形成された状態を示す図で、支持具７と８を外側に引くことによりガゼットとして折り曲げた天面と底面が平面になり、中央で折り曲げた側面３と４も広げられて平面になる。この作用により折り畳まれていた汚物入れが箱状に形成され、壁に取付けた保持具に箱状になった汚物入れの支持具７と８を上下に取付けることで、しっかりと箱状を維持しながら固定される。
【００１５】
汚物の投入口は汚物入れ正面の上部に汚物が入る大きさに穴をあけた状態の投入口にし、利用する人が汚物入れに手などが触れなくても汚物を簡単に捨てることができる。
【００１６】
また、中の汚物が見えて気になる場合は、汚物入れ正面の汚物投入口にあたる上辺と左右辺に切込みをいれ、折線とした下辺１７を汚物入れの中側に折り曲げ、その折り曲げられた面の広さが汚物入れの中で蓋をしている状態になり、中の汚物が見えなくなる。折り曲げられ面は汚物を投入したときは汚物の重みで下に垂れ、汚物が汚物入れの中に入るとその面の素材がもつ反発力で元の状態に戻る。反発力の弱い素材を利用する時は折り曲げる部分を補強してもよい。また、投入口の周囲や正面を補強するのもよい。
【００１７】
【発明の効果】
汚物入れを使用する人が、汚物入れに手などが直に触れずに汚物を捨てることができ、汚物入れの中の汚物を見ることがないので、不快な気分は軽減できる。また、壁の適当な位置に設置できるので利用しやすくなる。汚物入れ自体を使用後に廃棄することで、汚物入れの汚れも気にならなくなり、清掃する人も不快な気分から解放され、汚物の処理や設置も迅速に快適に衛生的に行える。
【００１８】
汚物入れ自体を折り畳めることにより嵩張らなくなり、汚物入れを設置する側もストックしやすくなる。
【図面の簡単な説明】
【図１】汚物入れを折り畳んだ状態を示す図
【図２】汚物入れが箱状に形成された状態を示す図
【図３】汚物入れの展開図
【符号の説明】
１  正面
２  後面
３  側面
４  側面
５  天面
６  底面
７  天面支持具
８  底面支持具
９ａ，９ｂ，１０ａ、１０ｂ  縦折線
１１ａ，１１ｂ，１２ａ，１２ｂ  天面の斜め折線
１３ａ，１３ｂ，１４ａ，１４ｂ  底面の斜め折線
１７  投入口折線
【図１】
2004188147.tif 000003
【図２】
2004188147.tif 000004
【図３】
2004188147.tif 000005
(57)【要約】【課題】ヘッド部を複数分割した可動刷毛部を備えた歯ブラシにおいて、歯間進入性、歯間進入実感、磨き完了の喜び等が向上し、歯を磨く事が楽しくなる、歯ブラシを提供する。【解決手段】ヘッド部１を完全に複数分割した小さな刷毛部４を、長軸方向の後・前に１８°から３３°傾斜する事により、歯と歯の小さな隙間、歯と歯茎の境目や口腔内の色々な凸凹に、綺麗にフィット磨る事が出来る。【選択図】        図４
2004188150.tif 000002
【特許請求の範囲】
【請求項１】
ヘッド部、首部および把持部を備えた歯ブラシにおいて、ヘッド部に植毛した刷毛部を長軸方向に、複数分割した歯ブラシ。
【請求項２】
請求項１に記載した歯ブラシにおいて、分割した各々の刷毛部の植毛面に垂直な植毛をした毛束に対して、１８°から３３°長軸方向の後・前に刷毛部が傾斜する歯ブラシ。
【請求項３】
請求項１・２に記載した歯ブラシにおいて、分割した刷毛部をヘッド部の毛先から見た底面に、差し込むだけで簡単に装填出来る歯ブラシ。
【発明の詳細な説明】
【０００１】
【産業上の利用分野】
本発明は、刷毛部の歯間進入性能、歯間進入実感、磨き上がり満足感、安価な制作性および耐久性に優れた歯ブラシに関する。
【０００２】
【従来の技術】
日本国内外の歯ブラシ、例えば音波歯ブラシ超音波歯ブラシ、電動歯ブラシ、これらは一分間に膨大な数のスピンや振動する。また、可動ヘッド歯ブラシは、その複数箇所に切れ目を入れたヒンジ効果、切れ目の一部又全部に軟質樹脂入れた可撓性、バネ材を付した揺動性、これらが口腔内歯のあらゆる凸凹にヘッド部がフィットする。しかし従来からの歯ブラシを含め、前者・後者共に毛先の清掃面は密度の高い植毛で、略平行な平面と成っているので、歯間進入性が乏しい。
【０００３】
【特許文献１】
特表平５−５０１２２１
【特許文献２】
実開平１−８１９２４
【特許文献３】
特表平１０−５０２８４６
【特許文献４】
特開２００２−１０８３２
【特許文献５】
特開２００２−５１８３８
【非特許文献１】
雑誌「暮らしの手帖」平成１４年４・５月号  音波歯ブラシテスト欄
【０００４】
【発明が解決しようとする課題】
音波歯ブラシ、超音波歯ブラシ、電動歯ブラシ等は、平成１４年４・５月発刊の有名な生活情報誌の使用テスト結果では、その機能が充分に使いこなす事が出来ず、使う事の安心感で磨き結果を注視せず、初期の歯のトラブルが発生している場合もある、また生活者の多くが従来からの、手磨き歯ブラシを使用しているが、可動ヘッド歯ブラシ、前期あらゆる歯ブラシを含めて、歯間進入性が悪いので歯の健康トラブルが多く歯周病が蔓延している。
【０００５】
【課題を解決するための手段】
この提案の歯ブラシは従来の手磨きだが、歯間進入機能が目視的に理解出来、使う事によって歯と歯の小さな隙間に、毛先が届いているのを心地良く感じ、従って自分の歯を注視する事で、更に丁寧に磨く意識を持ち、専門的な歯のトラブルに付いても、より早く発見する事で、疑問を持ち多くの生活者が専門医を訪れ、多くの人々の歯の健康を保つ事ができる。
【０００６】
【発明実施の形態】
図３の歯ブラシは刷毛部４がａｂｃと三分割した状態で、それぞれに植毛した毛先の平面７は長軸方向に約７ｍｍ、幅約９ｍｍである。図４に示す様に歯ブラシが口腔に入る時、植毛面５に垂直に植毛した毛束６が、長軸方向に対して１８°から３３°後に傾斜、図５の口腔から引き出す時は、前に傾斜、尚最良傾斜角度は１８°です。三分割した刷毛先が各々独立した１８°の傾斜で歯に接触磨る時、歯と歯の隙間、歯と歯茎の境目等の細かな所に毛先が届き、美しい健康な歯が保持出来る。図２・図５に示す様に三分割した刷毛部４ａは、口腔から引き出す時は傾斜しなくて垂直を維持し、奥歯の喉側面や上下の噛み合わせ面は、傾斜しない毛先の平面７で磨き残しが皆無になる。図６・図７の三分割した各々の刷毛部４が長軸方向  後・前に傾斜する回転軸凸部ｄは、正面高さ４ｍｍ・横２ｍｍ・奥行き０．５ｍｍ  上端・下端が直径４ｍｍの半円で破線中心点左・右に０．３ｍｍ半円の凹線ｆが有る。図８の網かけ凹部ａ１ｂ１ｃ１で各々の刷毛部４ａｂｃを受ける、尚凹部ａ１は刷毛部４ａが前に傾斜しない成形する。図９は前期凹部ａ１ｂ１ｃ１の回転軸ｅで中心左・右の破線交差点から各々内側に凸半丸線０．３ｍｍｅを形成、前記図６・図７の凹線ｆに合体する事で、分割した刷毛部４ａｂｃを毛先から見て、ヘッド部の底面８に簡単に又確実に装填する。尚分割した刷毛部の先端・後端と各々刷毛部の隙間は０．５ｍｍする。また長軸方向に三列に植毛した刷毛部４は正面から見て、真ん中の毛束６を頂点にして、なだらかな山形でも良い。
【０００７】
【発明の効果】
現代の歯磨きの習慣は、明治の中頃から普及が始まり、その時代、時代に良いとする磨き方が変わって来た、一度習慣が身に付くと変更出来ない物だが、この発明した歯ブラシは、色々な磨き方に対応出来、磨き効果を注視する事で自然に自分の歯に合った、良い磨き方を見つける事で、人々の歯の健康を守り歯を磨く事が楽しく成る。
【図面の簡単な説明】
【図１】全体の正面図（口腔へ入れた状態）長軸約１７０ｍｍ  幅約１３ｍｍ  厚約５ｍｍ
【図２】全体の正面図（口腔から引き出す状態）
【図３】平面図  網掛けは植毛孔及び刷毛束
【図４】ヘッド部拡大図（口腔へ入れた状態）破線が毛束・傾斜時
【図５】ヘッド部拡大図（口腔から引き出す状態）
【図６】分割した刷毛部の正面図  高さ約４ｍｍ  幅約８ｍｍ  厚み約１２ｍｍ
【図７】図６のパース  回転凸部ｄの厚み０．５ｍｍ
【図８】刷毛部を装填する、ヘッド部の底面を片方から見たパース
【図９】図８の回転中心軸凸部ｅの正面拡大図
【符号の説明】
１ヘッド部                  ａ  三分割した刷毛部
２首部                      ｂ  三分割した刷毛部
３把持部                    ｃ  三分割した刷毛部
４刷毛部                    ａ１刷毛部それぞれの装填受け部
５植毛面                    ｂ１刷毛部それぞれの装填受け部
６毛束                      ｃ１刷毛部それぞれの装填受け部
７毛先の平面                ｄ  刷毛部回転凸部
８底面                      ｅ  装填受部回転中心軸凸部
ｆ  刷毛部回転軸合体凹部
【図１】
2004188150.tif 000003
【図２】
2004188150.tif 000004
【図３】
2004188150.tif 000005
【図４】
2004188150.tif 000006
【図５】
2004188150.tif 000007
【図６】
2004188150.tif 000008
【図７】
2004188150.tif 000009
【図８】
2004188150.tif 000010
【図９】
2004188150.tif 000011
(57)【要約】      （修正有）【課題】ＡＤＬ（日常生活動作）が低下した高齢者及び身体障害者等が、室内において、起き上がり及び立ち上り時に身近にその行為を補助する補助具を提供する。【解決手段】低位置から高位置まで段階的に手すり２、３を配置する。必要に応じて転倒防止のための固定金具４、起き上がり用支持板５の取り付けを可能とする。利用者は仰臥位より座位に移行する際は、最下部手すり２より最上部手すり３までの掴みやすい手すりを利用し仰臥位から座位に移行する。又座位から立位に移行する際は最下部手すり２より最上部手すり３まで序々に立位に移行する。【選択図】図７
2004188141.tif 000002
【特許請求の範囲】
【請求項１】
２枚の板を両端垂直に立てた支え土台板に対し、起き上がり立ち上り用手すりを平行に取り付けて持ち運びが出来るようにした起き上がり立ち上り用据置手すり。
【請求項２】
支え土台版に設置する手すりは、直径２．５ｃｍ〜４ｃｍの筒状手すりである起き上がり立ち上り用据置手すり。
【請求項３】
本起き上がり立ち上り用据置手すりを、固定して使用したい人のための固定金具が装着された起き上がり立ち上り用据置手すり。
【請求項４】
本起き上がり立ち上り用据置手すりを、起き上がり時に使用する際、本器転倒防止のため、起き上がり用支持台が装着可能な起き上がり立ち上り用据置手すり。
【発明の詳細な説明】
【０００１】
【発明の属する技術分野】
本発明は、ＡＤＬ（日常生活動作）低下となった高齢者及び身体障害者が仰臥位から座位、座位から立位に移動する際、起き上がり及び立ち上り動作を容易に行えるよう補助する福祉用補助具に関するものである。
【０００２】
【従来の技術】
現存の手すりは、歩行補助のための壁面設置型手すり、風呂場での転倒を防止する風呂桶に設置する鋏型手すり等である。
ＡＤＬ低下となった高齢者及び身体障害者等が、一般的家庭内で寛ぐ場所（布団・卓袱台・コタツ等。）において、仰臥位から座位、座位から立ち上りを行う際、身近においてあるコタツ、卓袱台、椅子、テレビ等を支えにして立ち上がる人が多い。
よって支える物が高すぎる、掴みにくい、不安定等の問題があり、起きにくい、立ちにくい、そして手をすべらせやすい等の問題により動作困難、転倒危険を伴っていた。
【０００３】
【発明が解決しようとする課題】
ＡＤＬ低下した高齢者及び身体障害者等が一般家庭内の寛ぐ場所において仰臥位から座位、座位から立位動作を行おうとする際、筋力の低下及び麻痺のために立ち上りが容易に行う事が出来ない。よって起き上がり及び立ち上り時に、身近に安全で効率的な上腕の筋力を付加する補助具が必要である。
【０００４】
ＡＤＬ低下した高齢者及び身体障害者等が立ち上がる際には、コタツ、卓袱台、椅子等を利用し、座面大転子位置から立位大転子位置までの高さ（約５０ｃｍ〜７０ｃｍ）にまで上げることは困難な人々も多い、よって座位時における大転子位置から立位大転子位置までの高さまで段階的に立位動作上げていくための手すりが必要である。
【０００５】
【課題を解決する手段】
ＡＤＬ低下した高齢者及び身体障害者等が、寛ぐ場所において仰臥位から座位、座位から立位を取れるようするためには、寛ぐ場所の側に安全でコンパクトな手すりを設置すると良い。
【０００６】
ＡＤＬ低下した高齢者及び身体障害者等が、座位から立位までの動作を行うに際して身近に低位置から高位置までの段階的手すりがあるとよい。
【０００７】
【発明の実施の形態】
本発明は、ＡＤＬ低下した高齢者及び身体障害者等が寛ぐ場所の身近で手すりが使用できるよう、コンパクトにした据え置き用手すりである。又低位置から高位置まで段階的に手すりを配置する。必要に応じて本器転倒防止のため固定金具、起き上がり用支持板の取り付けを可能とした。
【０００８】
【発明の効果】
このようにＡＤＬ低下した高齢者及び身体障害者等の身近に据え置いた手すりを設置すれば家庭内においての高齢者及び身体障害者等の日常生活動作の範囲が広がる。又、立位動作時の転倒の危険性は減少し、立位から杖、歩行器等を利用し寛ぐ場所から台所、便所、風呂場へと移動が可能となる。又、介護負担の減少なる。
【０００９】
【実施例】
図７は、右側面斜視図であり本発明の起き上がり立ち上り据置手すり器の実施例を示すものであり、利用者は仰臥位より座位に移行する際は、符号２の最下部手すりより符号３の最上部手すりまでの掴みやすい手すりを利用し仰臥位から座位に移行する。又座位から立位に移行する際は、符号２の最下部手すりより符号３の最上部手すりまで序所に立位に移行する。
【００１０】
図５の右側面図符号５起き上がり支持板を取り付けることにより、仰臥位から座位に移行する際、下からの起き上がり牽引に対し本器が転倒することがなくなった。但し、仰臥位から座位までの起き上がり動作の必要の無いときには、これを取り外すことが可能である。
【００１１】
図１、においては、本体正面図であり符号１の支え土台版両側面に対し水平に設置した手すりを示す。その筒状据置用手すりの直径は、１５ｍｍ〜３５ｍｍの範囲である。据置用手すりの幅は、一般的には５０ｃｍを基本とするが本器利用者の体形及び要望に合わせサイズを変更することができる。材質は木材、合成樹脂、及び金属等により成形される。
【００１２】
図１において符号２の最下部手すりから符号３の最上部手すりは、床面から最下部５ｃｍの高さから上部にかけ１０ｃｍ〜１５ｃｍの間隔で符号１の支え土台版に設置される。その本数は、前面手すり４本、背面手すり４本、最長部手すり１本から構成されるが、利用者の大転子の高さに合わせて本数が決定されることもある。
【００１３】
図５において、符号１は、側面から見た支え土台板。基本的に、高さは６０ｃｍ、幅は５０ｃｍ、幅は２ｃｍ〜５ｃｍであるが、利用者の必要性においてそのサイズを変更することもある。本器が転倒しにくいよう上部に向かい細くし、上部は引っ掛かり防止のため円状にしている。支え直土台板の材質は、木材を基本とするが合成樹脂、及び金属等により成形されることもある。
【００１４】
図５において、符号４は固定金であり、床面にネジ及び釘等で本器を固定することができる。
【００１５】
図１において、両端の支え土台板は、水平設置面に対し、垂直角度から両内側に１０〜２０度以内の角度を設けることもある。
【図面の簡単な説明】
【図１】起き上がり立ち上り用据置手すりの正面図である。
【図２】起き上がり立ち上り用据置手すりの背面図である。
【図３】起き上がり立ち上り用据置手すりの平面図である。
【図４】起き上がり立ち上り用据置手すりの底面図である。
【図５】起き上がり立ち上り用据置手すりの右側面図である。
【図６】起き上がり立ち上り用据置手すりの左側面図である。
【図７】起き上がり立ち上り用据置手すりの右斜視図である。
【符号の説明】
１  支え土台板
２  最下部手すり
３  最上部手すり
４  固定用金具
５  起き上がり用支持板
【図１】
2004188141.tif 000003
【図２】
2004188141.tif 000004
【図３】
2004188141.tif 000005
【図４】
2004188141.tif 000006
【図５】
2004188141.tif 000007
【図６】
2004188141.tif 000008
【図７】
2004188141.tif 000009
(57)【要約】【目的】本発明は、コーテッドサンドに関するものであり、水溶性アルカリレゾール型フェノール樹脂を用いて従来のノボラックＲＣＳよりも低温で焼成時間が短く、作業環境の良いコーテッドサンドを提供することを目的とする。【構成】本発明によるコーテッドサンドは被覆される樹脂粘結剤を特徴とし、樹脂粘結剤は水溶性アルカリレゾール型フェノール樹脂と１価の酢酸或いは２価、３価のカルボン酸との反応生成物と鋳物砂とで構成される。【特許請求の範囲】
【請求項１】
アルカリレゾール型フェノールホルムアルデヒド樹脂と酢酸とを反応させた粘結剤組成物を鋳物砂の表面に固化被覆させた鋳型製造用コーテッドサンド。
【請求項２】
アルカリレゾール型フェノールホルムアルデヒド樹脂と酢酸を除く１価のカルボン酸とを反応させた粘結剤組成物を鋳物砂の表面に固化被覆させた鋳型製造用コーテッドサンド。
【請求項３】
アルカリレゾール型フェノールホルムアルデヒド樹脂と２価のカルボン酸とを反応させた粘結剤組成物を鋳物砂の表面に固化被覆させた鋳型製造用コーテッドサンド。
【請求項４】
アルカリレゾール型フェノールホルムアルデヒド樹脂と３価のカルボン酸とを反応させた粘結剤組成物を鋳物砂の表面に固化被覆させた鋳型製造用コーテッドサンド。
【請求項５】
上記請求項１から４に記載されたコーテッドサンドを用いて製造された鋳型組成物。
【請求項６】
上記請求項１から至４に記載された粘結剤組成物を用いた熱硬化用接着剤。
【発明の詳細な説明】
【０００１】
【発明の属する技術分野】本発明は、鋳型用コーテッドサンド及び熱硬化用接着剤に関する。更に詳しくは、本発明はアルカリレゾール型フェノールホルムアルデヒド樹脂を用いた低温で硬化速度の速い熱硬化型の鋳型用コーテッドサンドと接着剤に関する。
【０００２】
【従来の技術】鋳物工業において鋳型を効率的に量産する方法の一つとして、例えば熱硬化型のシェルモールド法がある。従来のシェルモールド法は、ヘキサメチレンテトラミンを添加したノボラック樹脂を砂の表面に被覆したレジンコーテッドサンド（以下ノボラックＲＣＳと略記する）を約３００℃に加熱した金型内に充填させてシェル鋳型を製造する方法であり、数十年来自動車工業を背景に広く利用されて来ている。
【０００３】しかし、世の中の技術の進歩と共に生産性の向上と鋳物製品及び作業環境の改善が長い間に要求され続けてきており、その都度断片的な改善はされては来ているものの抜本的な改善がなされたとは言えず、ノボラックＲＣＳの焼成時間が長く、ヘキサメチレンテトラミンから発生する臭気による作業環境劣化や鋳込み時に発生するＮＨ３ガスによる鋳造欠陥が課題となっている。また高温での接着の分野でも同様の課題をかかえている。
【０００４】
【発明が解決しようとする課題】以上のように、約３００℃に加熱した金型の近くで作業することは大変暑く特に夏場等は長時間の作業は大変であり、一方ヘキサメチレンテトラミンから発生する臭気の改善を含めて作業環境の改善と低温加熱焼成及び焼成時間の短縮による生産性向上が課題である。
【０００５】
【発明が解決使用とする手段】本発明によれば、アルカリレゾール型フェノールホルムアルデヒド樹脂に１価のカルボン酸（酢酸）を添加すると中和されて硬化し、水分が除去されると常温で固体の一次化学反応反応生成物が得られ、この一次化学反応反応生成物は７０〜８０℃で一旦熔融しするが、更に１５０℃以上に加熱を続けると熱硬化して強固な熱硬化固形物が生成されることを見いだした。また２価、３価のカルボン酸をアルカリレゾール型フェノールホルムアルデヒド樹脂の硬化剤として用いた場合も同様の傾向をしめすことを見いだした。
【実施例】
【０００６】実施例１
砂原料として市販の６号天然けいを用い、粘結剤として市販のアルカリレゾール型フェノールホルムアルデヒド樹脂を、また硬化剤として氷酢酸を用いてコーテッドサンドを製造した。
【０００７】約１００℃に加熱した原料砂３ｋｇに、アルカリレゾール型フェノールホルムアルデヒド樹脂１５０ｇを添加してミキサーで混練した後氷酢酸１５ｃｃを添加混練して水分を蒸発させ、常温で固体の一次化学反応反応生成物で被覆されたコーテッドサンドを製造した。
【０００８】実施例比較例２
実施例１で製造したコーテッドサンド（以下レゾールＲＣＳと略記する）と市販のノボラックＲＣＳ（樹脂：２．５％）との加熱硬化の性能を比較調査した。
【０００９】温度制御可能な市販のホットプレートを用いて所定の温度に加熱した鉄板の上に１０ｍｍ厚さに各コーテッドサンドをセットして底面から加熱し、その焼成厚さと臭気を調査した。表１に加熱温度と焼成厚さの比較をしめす。
【表１】
2004188491.tif 000002
【発明の効果】以上説明したとおり、本発明のコーテッドサンドを適用すると次のような効果がある。
（１）本発明のレゾールＲＣＳはノボラックＲＣＳより約３倍以上焼成時間が短い。
（２）本発明のレゾールＲＣＳは焼成温度をノボラックＲＣＳより約１００℃低く出来る。
（３）本発明のレゾールＲＣＳは窒素を含まないため、窒素に起因する鋳造欠陥を回避出来る。
（４）本発明のレゾールＲＣＳはノボラックＲＣＳより臭気が少ない。
(57)【要約】      （修正有）【課題】洗濯機は洗剤を使用するため、排水に伴う河川の汚染等、環境に悪影響を及ぼしている。また、風呂の湯についても排水に伴う汚染が解消されない。本発明は、水等、液体の中に極限の微小な泡（浮上しない泡）を混入し、比重が小さく、柔らかな水等、液体を作ることにより、排水に伴う環境の悪化を防ぎ、併せてエネルギーの節約を図ることを課題とする。【解決手段】一例として、ポンプより送られた空気が、水等、液体の中で、回転をする円筒形の側面の小さな穴より、押し出される際に、固定されたものとの接面で細断することの出来る構成とした。【選択図】    図１
2004188403.tif 000002
【特許請求の範囲】
【請求項１】
水等、液体の中でポンプにより小さい穴から押し出される空気が、回転、振動等の動きにより、刃物状のものと小さい穴との接面で細断され、極限の微小な泡（浮上しない泡）を作る微泡機。
【発明の詳細な説明】
【０００１】
【発明の属する技術分野】
この発明は、水等、液体の中に極限の微小な泡（浮上しない泡）を混入することを目的とするもので、この水等、液体は比重が小さく、柔らかいため洗濯機の水、風呂のお湯等に使用することにより、環境にやさしく、省エネルギーとなり、また、出費の節約等の効果を図るものである。
【０００２】
【従来の技術】
従来、洗濯機に水道水が使われており、洗濯物の汚れを落とす効果を上げるため、洗剤を使用している。また、風呂のお湯についても体にやさしいお湯にするため、入浴剤を使用している。
【０００３】
【発明が解決しようとする課題】
従来、洗濯機には洗剤を使用するため、排水に伴う河川の汚染等環境に悪影響を及ぼしている。また、風呂のお湯についても入浴剤による風呂釜の汚れや、排水に伴う汚染が解消されない。
この発明は、洗剤のいらない水、洗濯物にやさしい水、そして入浴剤を使用しないで体にやさしいお湯を作り、そのことにより、出費の節約と、省エネルギー、それに排水に伴う環境の悪化を防ぐことを主な課題としています。
【０００４】
【課題を解決するための手段】
今、その手段の一例を図１によって説明すると、ポンプの二次側に歯車の取り付けられたパイプを設ける。ただし、このパイプは回転が可能な構造にする。
次に、このパイプの先に、中が空洞になっていて、片側が密閉されており、側面に多数の小さな穴の開いた円筒形の筒を、ポンプの二次側の先端に取り付ける。
そして、この筒の側面に外接して、外枠に固定された刃物状のものを取り付ける。
次に、歯車付きの電動機を設け、パイプに回転を伝えられるように歯車を組合せる。
最後に、図１のようにポンプの一次側に空気を取り込むためのパイプを取り付け、ポンプと電動機に導線を繋ぐ、そして水又はお湯の中でもポンプ及び電動機が機能するように外枠を設ける。
以上の構成より成る極限の微小な泡（浮上しない泡）を作る機械である。
【０００５】
【発明の実施の形態】
以下、本発明の実施の形態について説明する。
ポンプより送られた空気は、先端の円筒形の筒の側面の小さな穴より押し出されることになる。この先端の円筒形の筒は、電動機の回転を二つの歯車により伝えられる。この回転運動により、固定された刃物状のものとの接面で、押し出される空気が、水等、液体の中で細断されることになる。（図２参照）
この、微小な泡を作る機械は、空気を押し出す力と、回転による空気を細断する速さのバランスを調整すること等により、極限の微小な泡（浮上しない泡）を作る事が出来る。
なお、この泡は、微小であるがため浮上しない。そして、この泡が混入された水又はお湯の場合は、乳白色をしている。用途に応じて泡と水との比率を変えることにより、一層の効果が期待できる。
【０００６】
【発明の効果】
本発明によって作られた乳白色の水又はお湯は、比重が小さく、柔らかいため、洗濯機に使用した場合は、
▲１▼  洗剤を必要としない（ただし、汚れの種類によっては、多少の洗剤が必要になる。）ため、排水に伴う環境汚染を防ぐことができる。
▲２▼  洗剤購入費を節約できる。
▲３▼  柔らかい水になるため洗濯物を傷めない。
▲４▼  比重が小さいため省エネルギーとなる。
▲５▼  洗剤を使用しないため、すすぎの時間が少なくて済む。
等の効果を得られる。
また、皿洗い機等に使用しても同じ効果が得られる。
次に、本発明によって作られた乳白色の水又はお湯を、風呂で使用した場合は、
▲１▼  体にやさしいく軟らかいお湯になる。
▲２▼  入浴剤を必要としないため、排水に伴う環境汚染を防ぐことができる。
▲３▼  入浴剤購入費を節約できる。
▲４▼  入浴剤を使用しないため風呂釜を傷めない。
▲５▼  速温効果があるため省エネルギーとなる。
等の効果が得られる。
なお、本発明の効果は、洗濯機、風呂について取り上げて説明をしてきましたが、シャワー、洗車機、ウオッシュレット等においても同じ効果を得ることができ、その他、燃料、染料、飲料等、多くの液体についても一定の効果を得られることが想定でき、本発明の用途の大きさが伺えます。
最後に、本発明は、全ての水等、液体の既成概念を大きく変えるものと考えております。
【図面の簡単な説明】
【図１】本発明の斜視図である。
【図２】本発明のＡ−Ａ断面の拡大図である。
【図１】
2004188403.tif 000003
【図２】
2004188403.tif 000004